(57)【要約】      （修正有）【課題】スチームの肌への当たり方や肌の状態を見ながら自由な場所で使用することができるスチーム式美容器を提供する。【解決手段】本体２の上後部に設けられた蝶番機構１７によって、ノズル６を覆う蓋体４を前記本体２に対して揺動可能に取り付けると共に、この蓋体４の内面に平面鏡１２を設けることで、この平面鏡１２に映る、スチームが吹き付けられる使用者の肌の部位を使用者自身の目で確認することができるので、スチームの当たり方や肌の状態を、使用者自身の肌の感覚だけでなく、視覚によっても知ることができる。また、平面鏡１２以外に鏡が必要ではないので、電源さえあれば、自由な場所でスチーム式美容器１を使用することができる。【選択図】図５
0003153292.tif 000002
【実用新案登録請求の範囲】
【請求項１】
本体と、
この本体の上部に設けられると共に仰角を調整可能なノズルを有するスチーム式美容器において、
前記本体の上後部に蝶番機構を設け、
この蝶番機構の回動軸を中心に揺動可能で且つ前記ノズルを覆う蓋体を設けると共に、
この蓋体の内面に鏡を設けたことを特徴とするスチーム式美容器。
【請求項２】
最も仰角を小さくした状態における前記ノズルの中心軸線と、前記蓋体を開いた状態における前記鏡の法線が、平行か又は前記ノズルと鏡の前方で交差するように、前記ノズルの仰角範囲と前記蓋体の開放角度が規定されるように構成したことを特徴とする請求項１記載のスチーム式美容器。
【請求項３】
前記蓋体に貫通孔を形成したことを特徴とする請求項１記載のスチーム式美容器。
【考案の詳細な説明】
【技術分野】
【０００１】
本考案は、水を加熱することで発生させたスチームを肌に向けて噴射するスチーム式美容器に関するものである。
【背景技術】
【０００２】
従来、この種のスチーム式美容器としては、給水タンク内の水を沸騰室にてヒータによって加熱してスチームを発生させ、この発生したスチームをノズルから噴射させて顔等に吹き付けるものが知られている（例えば、特許文献１参照。）。そして、このようなスチーム式美容器では、ノズルの仰角を調整することで、スチームの噴出方向を調整することができるようになっている。
【先行技術文献】
【特許文献】
【０００３】
【特許文献１】特許第３８９３８５１号公報
【考案の概要】
【考案が解決しようとする課題】
【０００４】
しかしながら、使用者は、使用者自身の顔をよく見ることができない。このため、このようなスチーム式美容器を用いる場合、使用者は、スチームの顔への当たり方やスチームが当てられた肌の状態を、使用者の肌の感覚によって知るしかないという問題があった。鏡台等の前で前記スチーム式美容器を使用すれば、使用者は、スチームの顔への当たり方やスチームが当てられた肌の状態を、視覚によって知ることもできる。また、手鏡等を用いれば、同様に、使用者は、スチームの顔への当たり方やスチームが当てられた肌の状態を、視覚によって知ることもできる。しかしながら、前者の使用方法では、スチーム式美容器を使用できる場所が限られてしまうという問題がある。また、後者の使用方法では、前記スチーム式美容器の使用中、手鏡を持ち続けなければならないという問題もある。
【０００５】
本考案は以上の問題点を解決し、スチームの肌への当たり方や肌の状態を見ながら自由な場所で使用することができるスチーム式美容器を提供することを目的とする。
【課題を解決するための手段】
【０００６】
本考案の請求項１に記載のスチーム式美容器は、本体と、この本体の上部に設けられると共に仰角を調整可能なノズルを有するスチーム式美容器において、前記本体の上後部に蝶番機構を設け、この蝶番機構の回動軸を中心に揺動可能で且つ前記ノズルを覆う蓋体を設けると共に、この蓋体の内面に鏡を設けたものである。
【０００７】
また、本考案の請求項２に記載のスチーム式美容器は、請求項１において、最も仰角を小さくした状態における前記ノズルの中心軸線と、前記蓋体を開いた状態における前記鏡の法線が、前記ノズルと鏡の前方で交差するように、前記ノズルの仰角範囲と前記蓋体の開放角度が規定されるものである。
【０００８】
更に、本考案の請求項３に記載のスチーム式美容器は、請求項１において、前記蓋体に貫通孔を形成したものである。
【考案の効果】
【０００９】
本考案の請求項１に記載のスチーム式美容器は、以上のように構成することにより、前記蓋体に設けられた鏡に映る、スチームが吹き付けられる使用者の肌の部位を使用者自身の目で確認することができるので、スチームの当たり方や肌の状態を、使用者自身の肌の感覚だけでなく、視覚によっても知ることができる。
【００１０】
また、最も仰角を小さくした状態における前記ノズルの中心軸線と、前記蓋体を開いた状態における前記鏡の法線が、平行か又は前記ノズルと鏡の前方で交差することで、使用者は、スチームを顔に当てた状態でも前記鏡と正対することができるので、スチームの当たり方や肌の状態を確実に視認することができる。また、顔よりも低い部位にスチームを当てる場合でも、使用者は、その部位を前記鏡に映して視認することができる。
【００１１】
更に、前記蓋体に貫通孔を設けることで、使用後にすぐ蓋体を閉めたとしても、ノズルから放出されるスチームは、前記貫通孔から蓋体の外に放出される。
【図面の簡単な説明】
【００１２】
【図１】本考案の一実施形態を示すスチーム式美容器の正面図である。
【図２】同、平面図である。
【図３】同、右側面図である。
【図４】同、蓋体を切り欠いた右側面図である。
【図５】同、蓋体を開き且つ切り欠くと共にノズルの仰角を最大とした状態における右側面図である。
【図６】同、蓋体を開き且つ切り欠くと共にノズルの仰角を最小とした状態における右側面図である。
【図７】同、蝶番機構周辺の断面図である。
【図８】同、スチームを顔に当てて使用する場合の説明図である。
【図９】同、スチームを首筋に当てて使用する場合の説明図である。
【図１０】本考案の他の実施形態を示すスチーム式美容器の蓋体を切り欠いた右側面図である。
【考案を実施するための形態】
【００１３】
以下、本考案の実施形態について、図１乃至図９に基づいて説明する。１は本考案のスチーム式美容器である。このスチーム式美容器１は、本体２と、把持部３と、蓋体４とを有して構成されている。前記本体２の内部には、図示しないスチーム発生装置が設けられている。また、前記本体２の正面には、水位を視認させるための窓５が設けられている。また、前記本体２の上部には、ノズル６が設けられている。このノズル６は、前記スチーム発生装置で発生したスチームを噴出するものである。そして、前記ノズル６は、前記本体２に対して仰角が調整可能に構成されている。また、前記本体２の上部には、スイッチ７が設けられており、このスイッチ７を操作することで、前記スチーム発生装置を作動させることができる。更に、前記本体２の上後部には、軸受部８が設けられている。そして、この軸受部８には、当接面９が設けられている。また、前記把持部３は、前記本体２に対して揺動可能に取り付けられている。
【００１４】
前記蓋体４は、前記本体２の上部に設けられたノズル６及びスイッチ７を覆うように、前記本体２に対して揺動可能に取り付けられている。前記蓋体４は、その内側にリブ１０によって囲まれた平面部１１を有しており、この平面部１１に平面鏡１２が取り付けられている。また、前記蓋体４の前上部には、貫通孔１３が形成されていると共に、前記蓋体４の後部にも、貫通孔１４が形成されている。更に、前記蓋体４の下後部には、前記本体２の軸受部８に対応して、軸受部１５が形成されている。そして、前記軸受部８と軸受部１５は、回動軸１６によって結合されている。即ち、前記軸受部８と軸受部１５と回動軸１６によって、蝶番機構１７が構成され、この蝶番機構１７によって、前記蓋体４が前記本体２に対して揺動可能となっている。なお、前記軸受部１５には、前記本体２の当接面９に対応して、当接面１８が形成されている。即ち、前記蓋体４は、その揺動によって前記当接面９と当接面１８とが当接することで、それ以上の揺動が阻止される。そして、この状態で、前記蓋体４の重心が前記蝶番機構１７よりも後方になるので、前記蓋体４は、その当接面１８が前記本体２の当接面９に当接した状態で開き続ける。
【００１５】
図６に示すように、前記蓋体４に取り付けられた平面鏡１２上から延びるように定義される法線Ｎは、前記蓋体４を開いた状態で前上がりとなる。また、図６に示すように、前記ノズル６の中心軸線Ａ、即ちスチームＳの噴射方向は、前上がりとなる。そして、前記ノズル６の中心軸線Ａの仰角が最小となる図６の状態において、前記ノズル６の中心軸線Ａの仰角Ｅ１は、前記平面鏡１２の法線Ｎの仰角Ｅ２よりも大きい。即ち、前記中心軸線Ａと中心法線Ｎは、前方に向かうほど互いに接近し、前記ノズル６よりも上方且つ前方で互いに交差する。
【００１６】
次に、本実施形態の作用について説明する。まず、使用者は、前記蓋体４を開き、スチームＳを当てる身体の部位に合わせて、前記ノズル６の仰角を調節する。そして、使用者は、前記本体２内に所定量の水を溜め、前記スイッチ７を操作する。このスイッチ７の操作によって、図示しない前記スチーム発生装置でスチームＳが発生し、前記ノズル６から中心軸線Ａ方向にスチームＳが噴射される。
【００１７】
図８に示すように、使用者の目が前記平面鏡１２と正対する（即ち、使用者の視線Ｌが法線Ｎと平行になる）ようにして、スチームＳを顔面に当てる場合、スチームＳは、視線Ｌの下方から使用者の顔面に当てられる。即ち、使用者は、スチームＳが顔面に当てられる様子を、前記平面鏡１２に映して、使用者自身の目で視認し続けることができる。この際、使用者は、前記平面鏡１２を把持しなくても良い。
【００１８】
また、図９に示すように、首筋や胸元等、顔面よりも低い部位にスチームＳを当てる場合、前記ノズル６の仰角Ｅ１を最小にする。この場合、前記平面鏡１２における使用者の目と正対する部分には、スチームＳが当てられない顔面が映り、スチームＳが当てられる首筋や胸元等は映らない。しかしながら、前記平面鏡１２における使用者の目が正対する部分よりも下方の部分には、スチームＳが当てられる首筋や胸元等が映る。（即ち、視線Ｌは、使用者の目から平面鏡１２上で反射し、首筋や胸元等に至る。）
【００１９】
従って、使用者は、使用者の前方からスチームＳを当てるのであれば、身体の部位によらず、スチームＳが当たる様子を使用者自身の目で視認し続けることができる。従って、使用者は、肌の感覚だけでなく、視覚によっても、スチームＳの当たる部位を正確に調整することができる。また、使用者は、前記スチーム式美容器１の使用中、スチームＳが当たる肌の部位の様子を、観察し続けることができる。更に、前記平面鏡１２以外に、鏡が必要ではないので、電源さえあれば自由な場所で前記スチーム式美容器１を使用することができる。
【００２０】
そして、スチームＳを十分な時間肌に当てた後、使用者は前記スイッチ７を操作して、前記スチーム発生装置を停止させる。そして、前記スチーム発生装置内の水が十分冷めた後、前記蓋体４で前記ノズル６を覆う。このように、前記ノズル６が前記蓋体４で覆われることで、前記ノズル６は前記蓋体４によって保護される、また、前記ノズル６内にゴミ等が入ってしまう虞を減ずることができる。なお、前記スチーム発生装置内の水が十分冷えないまま前記蓋体４を閉じた場合、前記ノズル６からスチームＳが放出され続ける可能性がある。しかしながら、このような場合でも、前記スチームＳは前記貫通孔１３，１４から前記蓋体４外に放出される。従って、前記蓋体４内に結露水が溜まらないようにすることができる。
【００２１】
以上のように本考案は、本体２の上後部に設けられた蝶番機構１７によって、ノズル６を覆う蓋体４を前記本体２に対して揺動可能に取り付けると共に、この蓋体４の内面に平面鏡１２を設けることで、この平面鏡１２に映る、スチームＳが吹き付けられる使用者の肌の部位を使用者自身の目で確認することができるので、スチームＳの当たり方や肌の状態を、使用者自身の肌の感覚だけでなく、視覚によっても知ることができるものである。
【００２２】
また、本考案は、最も仰角Ｅ１を小さくした状態における前記ノズル６の中心軸線Ａと、前記蓋体４を開いた状態における前記平面鏡１２の法線Ｎが、平行か又は前記ノズル６と平面鏡１２の上方且つ前方で交差することで、使用者が、スチームＳを顔に当てた状態でも前記平面鏡１２と正対することができるので、スチームＳの当たり方や肌の状態を確実に視認することができるばかりでなく、首筋や胸元等、顔よりも低い部位にスチームＳを当てる場合でも、使用者が、その部位を前記平面鏡１２に映して視認することができるものである。
【００２３】
更に、本考案は、前記蓋体４に貫通孔１３，１４を設けることで、使用後にすぐ前記蓋体４を閉めたとしても、前記ノズル６から放出されるスチームＳを、前記貫通孔１３，１４から前記蓋体４の外に放出し、前記蓋体４内に結露水が溜まらないようにすることができるものである。
【００２４】
なお、本考案は以上の実施形態に限定されるものではなく、考案の要旨の範囲内で種々の変形実施が可能である。例えば、上記実施形態では、蓋体４の内側に平面鏡１２を設けたが、図１０に示すように、平面鏡１２に代えて凹面鏡２１を設けても良い。この場合、前記凹面鏡２１の焦点は、使用者の目よりも後方に位置する。また、上記実施形態では、前記蓋体４に平面鏡１２を取り付けたが、前記蓋体自体に反射性被膜を形成することで鏡を形成しても良い。
【符号の説明】
【００２５】
１  スチーム式美容器
２  本体
４  蓋体
６  ノズル
１２  平面鏡（鏡）
１３，１４  貫通孔
１６  回動軸
１７  蝶番機構
２１  凹面鏡（鏡）
Ａ  中心軸
Ｎ  法線
Ｅ１  仰角
【図１】
0003153292.tif 000003
【図２】
0003153292.tif 000004
【図３】
0003153292.tif 000005
【図４】
0003153292.tif 000006
【図５】
0003153292.tif 000007
【図６】
0003153292.tif 000008
【図７】
0003153292.tif 000009
【図８】
0003153292.tif 000010
【図９】
0003153292.tif 000011
【図１０】
0003153292.tif 000012